(57)【要約】  本発明は、流体で満たされることが意図される密閉室（３）を区切る管状壁（２）を備える一体部品（１）を備える可撓性管状装置（１）に関する。管状壁（２）は、２つの長手方向部分（８２）によって区切られる少なくとも１つの補強プライ（８）が組み込まれるエラストママトリックス（７）を備える。本発明によると、前記少なくとも１つの補強プライ（８）は、前記密閉室（３）を囲むために前記管状壁（２）内で延在するスリーブの一般的形状であり、前記少なくとも１つの補強プライ（８）の前記２つの長手方向部分（８２）は、互いに対して並置される。本発明は、そのような装置を構成している飼育囲い、さらに、可撓性管状装置（１）の製造方法にも関する。
2020508638.tif 000002
【特許請求の範囲】
【請求項１】
流体で満たされることが意図される密閉室（３）を区切る管状壁（２）を有する一体部品（１）を備え、
前記管状壁（２）が、２つの長手方向部分（８２）によって区切られる少なくとも１つの補強プライ（８）と一体化されたエラストママトリックス（７）を備え、
前記少なくとも１つの補強プライ（８）が、前記密閉室（３）を囲むために前記管状壁（２）内で延在するスリーブの一般的形状を有すること、および、
前記少なくとも１つの補強プライ（８）の前記２つの長手方向部分（８２）が、互いに並置されること
を特徴とする、
可撓性管状装置。
【請求項２】
前記一体部品（１）が、前記管状壁（２）に対して長手方向に接続された、半径方向の長手方向リップ（５）を含むこと、および、
前記少なくとも１つの補強プライ（８）の前記２つの長手方向部分（８２）が、前記半径方向の長手方向リップ（５）内で互いに重ね合わされること
を特徴とする、
請求項１に記載の可撓性管状装置。
【請求項３】
前記管状壁（２）が、前記少なくとも１つの補強プライ（８）をはさみ込む、内側エラストマ層（７１）と外側エラストマ層（７２）とを含むこと、および、
前記半径方向の長手方向リップ（５）が、一方では、前記内側エラストマ層（７１）の側方部分（７１１）をはさみ込み、他方では、前記外側エラストマ層（７２）の２つの側方部分（７２１）によってはさみ込まれる、前記少なくとも１つの補強プライ（８）の前記２つの長手方向部分（８２）を含むこと
を特徴とする、
請求項２に記載の可撓性管状装置。
【請求項４】
空のとき、前記可撓性管状装置（１）が、前記密閉室（３）を区切り、２つの側方部分（１２、１３）で組み立てられる、２つの重ね合わされた平行六面体壁（１１）を有する平行六面体ストリップの形状を有する
ことを特徴とし、
前記少なくとも１つの補強プライ（８）が、一方で、それぞれが前記２つの平行六面体壁（１１）のうちの１つの幅にわたって延在する２つの主要部（８５）と、他方で、前記側方部分（１２、１３）の第１の側方部分（１２）内で延在する接合部（８６）とを備え、
前記少なくとも１つの補強プライ（８）の前記長手方向部分（８２）が、前記側方部分（１２、１３）の第２の側方部分（１３）内で延在する、
請求項１〜３のいずれか一項に記載の可撓性管状装置。
【請求項５】
−  ２つの横仕切り（Ｌ１）と、
−  アクセス通路に沿って延在する区画後部シル（Ｌ２）と、
−  区画（Ｌ）の背面を形成する前部限界（Ｌ３）と
によって区切られる少なくとも１つの前記区画（Ｌ）を備え、
前記前部限界（Ｌ３）が、下部ストップを形成するために、請求項１〜４のいずれか一項に記載の可撓性管状装置（１）を含む、
家畜囲い。
【請求項６】
前記後部シル（Ｌ２）が、請求項１〜４のいずれか一項に記載の可撓性管状装置（１）も備え付けられる
ことを特徴とする、
請求項５に記載の家畜囲い。
【請求項７】
前記家畜囲い（Ｅ）が、前記少なくとも１つの可撓性管状装置（１）を満たすための手段（６１）を備える
ことを特徴とする、
請求項５または６に記載の家畜囲い。
【請求項８】
前記少なくとも１つの可撓性管状装置（１）が、その半径方向の長手方向リップ（５）を通して加えられる締結手段（５７）によって固定される
ことを特徴とする、
請求項２に関連する、請求項５〜７のいずれか一項に記載の家畜囲い。
【請求項９】
（ｉ）少なくとも１つの補強プライ（８）が間に加えられるエラストマ材料の少なくとも２つの層（７１、７２）を重ね合わせて、中間ストリップ（１５）を形成するステップと、
（ｉｉ）前記密閉室（３）を形成するために自由表面（１５１）が貼り付くのを局所的に防ぐのに適した中間層手段（９）を、前記中間ストリップ（１５）の前記自由表面（１５１）上に加えるステップと、
（ｉｉｉ）前記中間層手段（９）をはさみ込むように、前記中間ストリップ（１５）の中央長手方向軸（１５’）に対応する折曲線に沿って前記中間ストリップ（１５）を半分に折り曲げるステップと、
（ｉｖ）前記重ね合わせた層（７１、７２）の接触する前記表面（１５１）を一緒に貼り付けて、前記可撓性管状装置（１）を形成するステップと
を含む、
請求項１〜４のいずれか一項に記載の可撓性管状装置の製造方法。
【発明の詳細な説明】
【技術分野】
【０００１】
本発明は一般に、流体で満たされることが意図される密閉室を区切るエラストママトリックス有する管状壁を有する可撓性管状装置の分野に関する。
【０００２】
本発明はまた、下部ストップを形成するそのような可撓性管状装置を備える少なくとも１つの区画を備える家畜囲いにも関する。
【背景技術】
【０００３】
特定の技術分野において、流体で満たされることが意図される密閉室を区切る管状壁を有する一体部品を備える可撓性管状装置の実装が興味深いことがある。
【０００４】
強度と柔軟性とを組み合わせるために、管状壁は、補強プライが組み込まれたエラストママトリックスを備える。
【０００５】
このような可撓性管状装置は、たとえば、家畜囲いの区画に備え付けて、下部ストップを形成してもよい。
【０００６】
実際、家畜飼育の分野において、動物が室内にいる時間の増加に伴い、区画内の敷料の快適性は重要になっていることがある。
【０００７】
次いで、下部ストップまたはネックバーは、牛をその区画内に正確に位置付けることができる２つの要素である。
【０００８】
下部ストップは、動物のひざに怪我をさせる可能性がある鋭角を有してはならない。さらに、下部ストップは、敷料より十分に高くなければならない。
【０００９】
紐などの従来のシステムは、思いとどまらせるための囲いを提供するが、それらを使用する動物は、囲いを押して、緩めることをためらわない。よって、囲いは効力を失い、定期的にきつく張り直す必要がある。木製のストップ（垂木）は有効であり、効果的に動物を止めるが、動物たちの快適性を損ない、衝突時に精神的外傷を引き起こすことがある。
【００１０】
よって、下部ストップは有利なことには、上述のように可撓性管状装置によって形成される。
【００１１】
この可撓性管状装置の実施形態は、以下のいくつかの利点を提供する。
−  就寝中の精神的外傷の恐れがない。
−  高さおよび剛性が調整可能である（特に、牛、遺伝的性質、区画、マットレスの種類に応じて）。
−  多くの場合、脚をストップの前方まで伸ばす、牛の自然な寝姿勢に好都合である。
−  衝撃を吸収する。
【発明の概要】
【発明が解決しようとする課題】
【００１２】
しかし、現在の可撓性管状装置は、完全に満足できるものではなく、管状壁は、密閉室からの流体の流出を引き起こす、引裂／破断現象に悩まされている。
【００１３】
たとえば、上記「下部ストップ」の用途においては、動物が発生させる繰返し応力によって、破断が引き起こされる。
【００１４】
よって、引裂／破断現象に対する強度を増加させた可撓性管状装置の必要性が存在している。
【課題を解決するための手段】
【００１５】
従来技術の上記欠点を改善するために、本発明は、前記少なくとも１つの補強プライの配置を新しくした、新しい可撓性管状装置を提案する。
【００１６】
引裂／破断現象が、現在の可撓性管状装置における前記少なくとも１つの補強プライの不適当な配置に起因していることが、実際に観察されている。
【００１７】
より詳細には、流体で満たされることが意図される密閉室を区切る管状壁を有する一体部品を備える可撓性管状装置が本発明によって提案される。管状壁は、２つの長手方向部分によって区切られる少なくとも１つの補強プライと一体化されたエラストママトリックスを備える。
【００１８】
さらに、本発明によると、前記少なくとも１つの補強プライは、前記密閉室を囲むために前記管状壁内で延在するスリーブの一般的形状を有する。前記少なくとも１つの補強プライの前記２つの長手方向部分は、互いに並置される。
【００１９】
本発明において、前記少なくとも１つの補強プライは、管状壁の全周にわたって連続的である（または、少なくとも略連続的である）。
【００２０】
この配置により、可撓性管状装置の強度は大きく増加し、よって、先行技術の可撓性管状装置で見られた引裂／破断現象は大幅に減少する。
【００２１】
個々にまたは任意の技術的に可能な組合せによって利用される、本発明による可撓性管状装置の他の非限定的かつ有利な特性は、以下の通りである。
−  一体部品は、前記管状壁に対して長手方向に接続される、半径方向の長手方向リップを含み、前記少なくとも１つの補強プライの２つの長手方向部分は、前記半径方向の長手方向リップ内で互いに重ね合わされる。特定の実施形態によると、前記管状壁は、前記少なくとも１つの補強プライをはさみ込む、内側エラストマ層と外側エラストマ層とを含み、前記半径方向の長手方向リップは、一方では、内側エラストマ層の側方部分をはさみ込み、他方では、外側エラストマ層の２つの側方部分によってはさみ込まれる、前記少なくとも１つの補強プライの２つの長手方向部分を含む。
−  空のとき、前記可撓性管状装置は、密閉室を区切り、２つの側方部分で組み立てられる、２つの重ね合わされた平行六面体壁を有する平行六面体ストリップの形状を有し、前記少なくとも１つの補強プライは、一方で、それぞれが２つの平行六面体壁のうちの１つの幅にわたって延在する２つの主要部と、他方で、前記側方部分の第１の側方部分内で延在する接合部とを備え、前記少なくとも１つの補強プライの前記長手方向部分は、前記側方部分の第２の側方部分内で延在する。
【００２２】
本発明は、
−  ２つの横仕切り、たとえば管状構造と、
−  アクセス通路に沿って延在する区画後部シルと、
−  区画の背面を形成する前部限界と
によって区切られる少なくとも１つの区画を備え、前記前部限界が、下部ストップを形成するために、本発明による可撓性管状装置を含む、家畜囲いも提案する。
【００２３】
好ましくは、前記後部シルは、本発明による可撓性管状装置も備え付けられる。
【００２４】
また、好ましくは、前記家畜囲いは、前記少なくとも１つの可撓性管状装置を満たすための手段を備える。
【００２５】
さらに、好ましくは、前記少なくとも１つの可撓性管状装置は、その半径方向の長手方向リップを通して加えられる締結手段によって固定される。
【００２６】
本発明は、本発明による可撓性管状装置を製造するための方法にも関し、その方法は、
（ｉ）少なくとも１つの補強プライが間に加えられるエラストマ材料の少なくとも２つの層を重ね合わせて、中間ストリップを形成するステップと、
（ｉｉ）密閉室を形成するために自由表面が貼り付くのを局所的に防ぐのに適した中間層手段を、前記中間ストリップの前記自由表面上に加えるステップと、
（ｉｉｉ）前記中間層手段をはさみ込むように、前記中間ストリップの中央長手方向軸に対応する折曲線に沿って前記中間ストリップを半分に折り曲げるステップと、
（ｉｖ）前記重ね合わせた層の接触する表面を一緒に貼り付けて、前記可撓性管状装置を形成するステップと
を含む。
【００２７】
本発明は、いっさい限定されることなく、添付図面に関連する特定の実施形態の以下の記載によって、さらに示される。
【図面の簡単な説明】
【００２８】
【図１】本発明による可撓性管状装置の斜視概略図であり、横断面平面である。
【図２】図１による可撓性管状装置の断面図を概略的に示し、その密閉室は空である。
【図３】図１および２による可撓性管状装置を製造するための方法の主要なステップの概略側面図である。
【図４】本発明による２つの可撓性管状装置を備える一連の区画の概略斜視図である。
【図５】図４による一連の区画の側面図である。
【発明を実施するための形態】
【００２９】
可撓性管状装置１が、図１において、単独で概略的に示されている。
【００３０】
この可撓性管状装置１は、ロッドまたは管の一般的形状の一体部品であり、本明細書では、２つの主要部分である、
−  流体で満たされる密閉室３を区切る管状壁２と、
−  管状壁２に対して長手方向に接続されて、有利なことには管状壁２の全長にわたって延在する半径方向の長手方向リップ５と
を備える。
【００３１】
管状壁２は連続的であり（本明細書では、長手方向の開口がない）、半径方向の長手方向リップ５は、前記管状壁２と一体化されている。
【００３２】
密閉室３が完全であるとき、管状壁２は略円筒形状であり、長手方向軸２’を有する。
【００３３】
この管状壁２は、２つの対向する円筒表面である、
−  密閉室３を区切る内面２１と、
−  外面２２と
を含む。
【００３４】
これらの２つの表面２１、２２の間の距離は、管状壁２の厚さを画定する。
【００３５】
この管状壁２は、密閉された２つの端部２３も含む（図４参照）。これらの２つの端部２３の間の距離は、管状壁２の長さを画定する。
【００３６】
たとえば、管状壁２は以下の寸法特性を有する。
−  直径が１５０〜４００ｍｍである内面２１。
−  １．５〜６ｍｍの厚さ。
−  輸送可能限度（重量、巻径など）の関数である長さ。
【００３７】
指標としては、密閉室３は、流体、たとえば水で満たされるように意図されて、圧力は、１００ｍｂａｒ〜２ｂａｒである。
【００３８】
半径方向の長手方向リップ５は、平行六面体板の一般的形状を有し、それは、２つの長手方向縁である、
−  管状壁２に一体的に接続される内縁５１と、
−  自由外縁５２と
によって横方向に区切られる。
【００３９】
半径方向の長手方向リップ５のこれらの長手方向縁５１、５２は、管状壁２の長手方向軸２’と平行に延在する。
【００４０】
この半径方向の長手方向リップ５は、２つの対向する矩形表面５３も含み、それらは、それぞれが管状壁２の外面２２の延長まで来る。
【００４１】
２つの長手方向縁５１、５２の間の距離は、半径方向の長手方向リップ５の幅を画定する。２つの対向する表面５３の間の距離は、半径方向の長手方向縁５の厚さを画定する。
【００４２】
たとえば、半径方向の長手方向リップ５は以下の寸法特性を有する。
−  ３ｍｍ〜１２ｍｍの厚さ。
−  ５０ｍｍ〜１００ｍｍの幅。
【００４３】
管状壁２は、本明細書において、半径方向の長手方向リップ５とは正反対に、半径方向の長手方向リブ５５を含む。
【００４４】
半径方向の長手方向リブ５５は有利なことには、管状壁２の全長にわたって延在する。この半径方向の長手方向リブ５５は、以下に記載される製造方法で作成される。
【００４５】
可撓性管状装置１は、少なくとも１つの補強プライ８が一体化されたエラストママトリックス７で作られる。
【００４６】
エラストママトリックス７は、「弾性材料」とも呼ばれる、弾性変形を受けるのに適した少なくとも１つの材料を備え、それはたとえば、以下から選択される。
−  エラストマ材料、すなわち、たとえば、天然ゴム、「合成天然」ゴム（または、合成ポリイソプレン）、ポリブタジエン、またはスチレンブタジエン、あるいは、
−  プラスチック材料または熱可塑性エラストマ（ＴＰＥ）。
【００４７】
前記少なくとも１つの補強プライ８は、たとえば、織物繊維、金属繊維、または、安定性または伸び強度を提供する任意の他の生成物から選択される材料から作られる。
【００４８】
前記少なくとも１つの補強プライ８は、たとえば、有利なことには、ナイロン、綿、ポリエステル、ポリアミド、または任意の他の補強織物から選択される材料から作られる、補強材として働く織物フレーム内にある。
【００４９】
一般に、前記少なくとも１つの補強プライ８は、可撓性管状装置１に最適な強度を提供するように配置される。特に、その密閉室３が流体で満たされたときに管状壁２の強度が最適化されることになる。
【００５０】
その目的のために、可撓性管状装置１は、本明細書において、２つの部分である、
−  密閉室３を囲むために、スリーブの一般的形状を有して、管状壁２内で延在する主要部分８１と、
−  （本明細書において半径方向の長手方向リップ５内で）互いに並置される２つの長手方向部分８２と
を有する補強プライ８を含む。
【００５１】
換言すれば、主要部分８１は、断面図において、それ自体で閉じられる、連続的または略連続的な輪の一般的形状を有する。
【００５２】
よって、主要部分８１は、密閉室３にその形態および強度を与える。
【００５３】
この主要部分８１は、本明細書では、半径方向の長手方向リブ５５内において、外に伸びた形態で（たとえば、密閉室３の方に開いたＵ形で）連続的に延在する。
【００５４】
半径方向の長手方向リップ５の両側で連続的な、主要部分８１のこの特定の構成は、密閉室３に特に興味深い強度を与えることは気付かれるであろう。
【００５５】
管状壁２の端部２３において、補強プライ８は、切断された縁または成形された縁で終わる。
【００５６】
２つの長手方向部分８２はそれぞれ、矩形ストリップの一般的形状を有する。
【００５７】
これらの２つの長手方向部分８２は、半径方向の長手方向リップ５内で互いに合流する。それらは互いに重ね合わされて、互いに離れて配置される。
【００５８】
本明細書において、これらの２つの長手方向部分８２はそれぞれ、
−  半径方向の長手方向リップ５の全長にわたって（すなわち、その２つの長手方向縁５１、５２の間でも）、ならびに、
−  互いに対して、かつ、半径方向の長手方向リップ５の２つの対向する表面５３に対して平行にまたは少なくとも略平行に
延在する。
【００５９】
補強プライ８のこの配置を考慮すると、管状壁２は、補強プライ８の主要部分８１をはさみ込む２つのエラストマ層７１、７２である、
−  管状壁２の内面２１を形成する連続的な内側エラストマ層７１と、
−  管状壁２の外面２２を形成する同様に連続的な外側エラストマ層７２と
を含む。
【００６０】
エラストマ層７１、７２は有利なことには、０．７５〜３ｍｍの厚さを有する。
【００６１】
半径方向の長手方向リップ５はまた、いくつかの重ね合わされたエラストマ層である、
−  内側エラストマ層７１を伸ばし、補強プライ８の２つの長手方向部分８２の間にはさみ込まれる、一体かつ唯一の中央部分７１１と、
−  外側エラストマ層７２を伸ばし、補強プライ８の２つの長手方向部分８２をはさみ込む、２つの外側部分７２１と
を備える。
【００６２】
中央部分７１１は、内側エラストマ層７１と一体化されている。２つの外側部分７２１は、外側エラストマ層７２と一体化されている。
【００６３】
一般に、可撓性管状装置１は、少なくとも１つの他の補強プライを含む可能性もある。
【００６４】
たとえば、この追加の補強プライは、上に記載されたものと類似である可能性があり、上述のようなエラストマ層７１、７２の厚さに、および／または、半径方向の長手方向リップ５に一体化される可能性がある。
【００６５】
さらに、管状壁２には、弁６（図４に非常に概略的に示される）が備え付けられ、弁６は満たすための内室３に接続されている。
【００６６】
この弁６は有利なことには、それ自体は従来の方法で加えられる。たとえば、それは農業用タイヤのための標準的な通過弁である。
【００６７】
図２は、空の状態の（すなわち、その密閉室３に流体がない）可撓性管状装置１を示す。
【００６８】
この場合、この可撓性管状装置１は、平坦な平行六面体ストリップの形状を有し、２つの側方部分１２、１３で（有利なことには、単一の連続的な部品として）組み立てられた２つの重ね合わされた平行六面体壁１１を有し、密閉室３を形成することが観察されている。
【００６９】
第１の側方部分１２（図２の右側）は、第２の側方部分１３（図２の左側）より小さい幅を有する。
【００７０】
よって、第１の側方部分１２は、上記半径方向の長手方向リブ５５を形成するように意図される。第２の側方部分１３は、上記半径方向の長手方向リップ５を形成するように意図される。
【００７１】
補強プライ８は、いくつかの部分である、
−  それぞれが２つの平行六面体壁１１のうちの１つの幅にわたって延在する２つの主要部８５と、
−  第１の側方部分１２内で延在して、２つの主要部８５を接続する接合部８６と
を備える。
【００７２】
２つの主要部８５および接合部８６は、補強プライ８の主要部分８１を一緒に形成する。
【００７３】
第２の側方部分１３内で、２つの主要部８５は、互いに平行に延在し、補強プライ８の長手方向部分８２を形成するように互いに離れる。
【００７４】
これらの長手方向部分８２は有利なことには、半径方向の長手方向リップ５の外縁５２に沿って現れる。
【００７５】
空のとき、この可撓性管状装置１は特に平坦である。
【００７６】
この態様は、特に輸送のために興味深く、その輸送をより容易にする。
【００７７】
装置の製造
本発明による可撓性管状装置１は、一体化されたユニットを形成するために、一組の重ね合わされた層の組み立てによって製造されてもよい。
【００７８】
組み立ての技術は、加硫、結合、または溶接から選択されてもよい。
【００７９】
好適な製造方法は、図３に関連して、以下に一例として説明される。
【００８０】
この方法は、
（ｉ）補強プライ８が間に加えられる（上記内側７１および外側７２枚の層を形成するように意図される）エラストマ材料７１、７２の少なくとも２つの層を重ね合わせて、いわゆる「中間」ストリップ１５を一緒に形成するステップ（図３Ａ）と、
（ｉｉ）密閉室３を形成するためにこの自由表面１５１が貼り付くのを局所的に防ぐのに適した中間層手段９を、中間ストリップ１５の自由表面１５１上に加えるステップ（図３Ｂ）と、
（ｉｉｉ）上記中間層手段９を自由表面１５１ではさみ込むように、この中間ストリップ１５の中央長手方向軸１５’に対応する折曲線に沿って中間ストリップ１５を半分に折り曲げるステップ（図３Ｃ）と、
（ｉｖ）それ自体の上に折り曲げられた自由表面１５１の接触する表面を一緒に貼り付けて、可撓性管状装置１を形成するステップ（図３Ｄ）と
を含む。
【００８１】
重ね合わせるステップ（ｉ）の間、エラストマ材料７１、７２の２つの層および補強プライ８は、有利なことには、同一のまたは少なくとも略同一の大きさを有する。
【００８２】
加えるステップ（ｉｉ）については、中間層手段９は、それ自体の上に折り曲げられた内側層７１の対向する表面間の貼り付きの回避に適した手段である。
【００８３】
加硫の場合、中間層手段９は、たとえば、有利なことには、耐熱プラスチックである、
−  たとえば、ポリプロピレン、アクリロニトリルブタジエンスチレンから作られる抑制剤を含有する耐火フィルム、
−  加硫エラストマ材料の層、たとえば、スチレンブタジエンゴム（ＳＢＲ）、天然ゴム（ＮＲ）、またはエチレンプロピレンジエンモノマから作られる管
から選択される材料から作られるストリップまたは管である。
【００８４】
中間層手段９は、たとえば、細長い矩形である。
【００８５】
これらの中間層手段９は、第１の長手方向側部９１において、中央長手方向軸１５’に沿って延在し、第２の長手方向側部９２において、この内側層７１で２つの自由ストリップ７１２を維持するために内側層７１の並置された長手方向縁から離れるように寸法を決められる。
【００８６】
貼り付けるステップ（ｉｖ）のときに、内側層７１はそれ自体の上に折り曲げられる。
【００８７】
よって、この内側層７１の接触した２つの自由ストリップ７１２は一緒に貼り付けられて、上記中央部分７１１を形成する。
【００８８】
その端部で、密閉室３は、たとえば、上部および下部締付装置によって閉じられる。
【００８９】
家畜囲い
本発明は、少なくとも１つの可撓性管状装置１を備える家畜囲いＥにも関する（図４および５）。
【００９０】
家畜囲いＥは有利なことには、牧畜、特に、乳牛または肉牛のための牛舎である。
【００９１】
この家畜囲いＥは、少なくとも１つのラインに沿って配置される、本明細書では区画Ｌにある敷料区画を含む。
【００９２】
区画Ｌは、牛のための快適な敷料、立／寝姿勢間の移動の観点、快適な立ち姿勢、および、区画の汚れの最小化の間の妥協が成り立つ。
【００９３】
各区画Ｌは、従来のそれ自体が、
−  ２つ横仕切りＬ１、たとえば管状構造と、
−  アクセス通路に沿って延在する区画後部シルＬ２と、
−  有利なことには、肩甲骨間の隆起の位置の上部バーと、下部ストップ（または、前進リミッタ）を形成する本発明による可撓性管状装置１とを備える前部限界Ｌ３と、
−  地面Ｌ４、たとえばコンクリートスラブと
によって区切られる。
【００９４】
この一連の区画Ｌには有利なことには、動物がとどまることが意図されるコンフォートシステムＬ５が、たとえばコンフォートマットレスとして備え付けられる。
【００９５】
ストップを形成する可撓性管状装置１は、区画Ｌの並びの前部限界Ｌ３に沿って、よって、コンフォートシステムＬ５の前縁に沿って延在する。
【００９６】
本明細書において、後部シルＬ２には、本発明による可撓性管状装置１も備え付けられる。
【００９７】
よって、この可撓性管状装置１は、区画Ｌの並びの後部シルＬ２、および、コンフォートシステムＬ５の後縁に沿って延在する。
【００９８】
この追加の可撓性管状装置１の利益は、相分離器からの乾燥残留物、砂、または藁などの、マットレス上に蓄積される材料から形成される快適層を保持することである。
【００９９】
さらに、横になった動物がその脚を伸ばしたとき、ひざの後ろの怪我を回避できる。
【０１００】
各可撓性管状装置１は、その半径方向の長手方向リップ５を通して加えられる締結手段５７によって地面Ｌ４に固定される。
【０１０１】
締結手段５７は、たとえば、半径方向の長手方向リップ５の長さにわたって一定間隔の釘である。
【０１０２】
これらの締結手段５７は、その２つの対向する表面５３で、半径方向の長手方向リップ５を正確に貫通する。よって、これらの締結手段５７は、最適な強度を提供するために、補強プライ８の２つの長手方向部分８２を貫通する。
【０１０３】
よって、半径方向の長手方向リップ５の表面５３のうちの１つは、地面Ｌ４に対して平らにされる。
【０１０４】
よって、可撓性管状装置１の２つの長手方向部分８２の組み立て体は、締結手段５７によって補強される。
【０１０５】
次いで、この配置により、可撓性管状装置１の強度を大きく増加させることができ、よって、引裂／破断現象のリスクを実質的に減少させることができる。
【０１０６】
各可撓性管状装置１は、さらに有利なことには、その管状壁２がその半径方向の長手方向リップ５とコンフォートシステムＬ５との間に配置されるように向けられる。
【０１０７】
よって、コンフォートシステムＬ５は、２つの可撓性管状装置１によって長手方向に整列する。
【０１０８】
家畜囲いＥには、有利なことには、可撓性管状装置１を満たすための手段６１（図４に概略的に示される）も備え付けられる。
【０１０９】
これらの充填手段６１は、たとえば、循環機と関連付けられた水源である。水は流れずに、快適性の役割だけ果たしてもよい。
【０１１０】
各可撓性管状装置１の充填は、この可撓性管状装置１と水道との間に置かれるマノメータで制御される。
【０１１１】
実際には、前部限界Ｌ３に沿って配置される前部可撓性管状装置１は、動物によるより高いまたはより低い圧力によって、常に満たされる（高さおよび剛性調整）。
【０１１２】
後部シルＬ２に沿って配置される後部可撓性管状装置１も、区画ＬおよびそのコンフォートシステムＬ５の清掃作業中を除いて、常に満たされる。
【０１１３】
実際、この後部可撓性管状装置１は、折り畳まれて、（図２に示されるように平らにされた後部可撓性管状装置１の上を通すことによって）アクセス通路の方へ洗浄水を排出することを可能とするように空にされてもよい。
【図１】
2020508638.tif 000003
【図２】
2020508638.tif 000004
【図３Ａ）】
2020508638.tif 000005
【図３Ｂ）】
2020508638.tif 000006
【図３Ｃ）】
2020508638.tif 000007
【図３Ｄ）】
2020508638.tif 000008
【図４】
2020508638.tif 000009
【図５】
2020508638.tif 000010
【国際調査報告】
2020508638.tif 000011
2020508638.tif 000012
2020508638.tif 000013
2020508638.tif 000014
2020508638.tif 000015
2020508638.tif 000016